(57)【要約】【課題】マイナスイオンを放射すると共に育成光線も発生させ、その相乗効果が得られるようにした複合材料を用いて新しい効果を発揮出来る様にしたマイナスイオン植木用素材と陶磁器の一部であるマイナスイオンボール及び靴底に含浸又は塗布してマイナスイオン靴底を提供する。【解決手段】特願２００１−３１７４８７に提供したマイナスイオンを放出する複合材料を利用して植木を育成しながら、所望の場所及び部屋に置きマイナスイオンの利用の範囲を広げる事を解決し、マイナスイオンボールも利用範囲を広げる事が出来た。マイナスイオン靴底はマイナスイオンの人体への効果を証明した。マイナスイオンと育成光線の相乗効果は人体をはじめ動植物の成長促進効果を証明し色々な広範囲の効果を解決した。【選択図】　　なし【特許請求の範囲】
【請求項１】
出願番号　特願２００１−３１７４８７の
【請求項１】
及び
【請求項２】
に詳述したマイナスイオンを発生させる複合材料を植物を植込んだ素材の中に塗布又は含浸させ所望の場所に設置又は吊り下げて所望の部屋又は場所の周囲にマイナスイオンを放出して空気のイオン化と人体の健康促進と動植物の成長を促進する。
【請求項２】
出願番号　特願２００１−３１７４８７の
【請求項１０】
の陶磁器の１部であるボール状のものを植物を植込んだ鉢及び置台の中に混入して所望の場所に置き部屋又は周辺をイオン化して人体の健康と動植物の成長促進をはかる。
【請求項３】
上記イオンボールを鑑賞魚及び養魚用及び料理用生けすに使用して、生魚の成長促進、保健衛生、賞味改善等をはかる。
【請求項４】
出願番号　特願２００１−３１７４８７の
【請求項８】
の繊維製品の中で足裏の健康ツボを刺激する様工夫した靴底。素材としては化学繊維が主体であるが発砲系化学製品が水仕事用に適する。
【発明の詳細な説明】
【０００１】
【発明の属する技術分野】
本発明は出願番号　特願２００１−３１７４８７で発明したマイナスイオンを発生させる複合材料の中で更にその特徴を日常生活に有効な分野に拡大し利用価値を高める様にしたものに関するものである。
【０００２】
【従来の技術】
マイナスイオンはプラスイオンとともに大気中に存在するものであるが最近の急激な近代化によってプラスイオンの方が多くなりそのバランスが崩れて、頭痛・不眠症・イライラ病・アレルギー症状の増加となったがその対策にはあまり効果のある治療方法もなく、化学的なものにはかえって無名の病気が多くなり、その対策が持たれているものである。
【０００３】
【発明が解決しようとする課題】
本発明はマイナスイオンとプラスイオンのバランスが崩れて色々の健康上の問題が発生している中にあって特願２００１−３１７４８７で発明したマイナスイ
オンを発生させる複合材料【請求項１】【請求項１０】【請求項８】の中で具体的に効果がはっきり立証されたもの及びその分野のものにつき説明する。
【０００４】
【課題を解決する為の手段】
上記目的を達成する為に講じた本発明の手段は次の通りである。
第１の発明にあっては前述の特願２００１−３１７４８７の
【請求項１】のマイナスイオンを発生する複合材料液を植物を植付ける素材としてコルク材・ヘゴ材・プラスチック材・竹材・板材・野生素材・陶磁器製・石・岩石等に塗布・含浸・吹付し、その後乾燥してマイナスイオンの放出量を測定する。測定を確かめた後根付け素材に植物を根付けて所望の場所に設置するか吊り下げるか置台の上に飾りつける。
【０００５】
第２、第３の発明は前述の特願２００１−３１７４８７の【請求項１０】の陶磁器のうちのボール状のものに同じく前述の特願２００１−３１７４８７の【請求項１】のマイナスイオン複合材料液に更にマイナスイオン鉱石粉やトルマリン鉱石粉を練り混ぜてボールの外側にぬり、焼き上げたボールを使用し適当なマイナスイオン数の出るボールを適地適所に置く。焼き上げ温度も３００℃から８００℃が好ましい。
【０００６】
第４の発明は前述の特願２００１−３１７４８７の【請求項８】の中で足裏にあたる部分を波状にしたり、経２〜３ｍｍの球状物質を付着したもの、一般足裏に少し強目のマイナスイオン（３００ヶ〜５００ヶ／ｃｍ３／秒）を附着して足裏のツボを刺激して健康増進するものである。
【０００７】
【発明実施の形態】
本発明を具体化したいくつかの実施形態につき説明し、本発明の理解を供する。
【０００８】
【実施例】
【請求項１】に於ける実施例としては特願２００１−３１７４８７の【請求項１】に作成したものを水に混合して使用する。現在では一種の鉱石の中にマイナスイオン１，５００ヶ〜７，５００ヶｃｍ３／秒と遠赤外線（電磁波）放射率８６．７／４８℃の両エネルギーを持った鉱石を発見し仮名をＮ−１５、ＭＯ−４と二種付けている。その中でＮ−１５、ＭＯ−４の何れか１つを水に混合し、化学薬品でない自然食品のゼラチン、コンスターチ、寒天類の中からバインダーとして選び相性の良いものを使用する。更に置き場所によってマイナスイオンの放出量も変えねばならないので適量適所とし、平均的な標準量はマイナスイオン放出量を３００ヶ〜５００ヶ／ｃｍ３／秒とする。放出量の確認はエコホリステック社製のＥＢ−１２Ａを使用した。植物の成長試験は九州農研とバル企両及び知人に依託して試験した。
【０００９】
【請求項２・３】における実施例としては前述の仮名Ｎ−１５の粉体８に対してトルマリン２の比率で混合し、既成の麦飯石ボール（大２．５ｃｍ、中１．２ｃｍ、小２ｍｍ）の表面に混合練り合わせ機の中に混入して重ね度合を重量比で決めて作成する。重量比もマイナスイオン放出量との関係もあり、ある程度の標準表を作成して、その中から５種程を選定して試験した。その中の１種１，０００ヶｃｍ３／秒を標準として作成方法を述べる。
既成の麦飯石ボールを１０ｋｇ先に入れ、Ｎ−１５粉体（マイナスイオン４，０００ヶｃｍ３／秒）を４ｋｇとトルマリン１ｋｇを同混合機の中に入れて前述のゼラチン又はコンスターチを３ｋｇ〜４ｋｇ入れて混合して作成する。ゼラチン及びコンスターチは一度水の中に入れて温度７０℃前後で完全に溶解したものを使用する。混合中にボール同志がくっつかない様バインダーの量を多少調整する。一度固まった後焼き上げるのであるが焼き上げ温度が高く固く焼き上げる時はミネラルや特殊成分の溶出が少ないのでこれも所望の効果に合わせる様作成するのである。マイナスイオン数は前述の混合比率で大体１，０００ヶ／ｃｍ３／秒程度である。必要に応じてボールの量を加減する事で所望の数値に合わせる事が出来るしマイナスイオンの放出量の多少とマイナスイオンの使用数量の多少によって要求に合わせる事が出来る。バインダーについては現在開発中のものや既に開発されたものの中から選べば良い。更にカラフルに加工が出来る事からその需要は無限に近いとも云える。
【００１０】
【請求項４】の靴底の効果を従業員１０名と取引先１０名に今年３月に普通型と波動型を普通靴底とダンボール製靴底に試験したところ、ダンボール波型が一番効果はよかったが水に弱く壊れ易い欠点があり、普通型で試験したところ大変好評であった事から普通型の型を少し改良して販売する事になった。弊社のマイナスイオンが好評の事から他社のマイナスイオン靴底に比べ、売上が倍増の見通しである。
【００１１】
【発明の効果】
本発明の【請求項１】に対しては化学接着剤を一切使用せず然もマイナスイオンを必要最低限におさえ価格のコストも最低限に押さえ一般家庭の全ての方々に最低１枠（未端価格３，０００円）は買い上げて戴く様価格設定する。花は香りがあり、中〜小型物を選び然も多年性植物である事。然も熱さにも寒さにも耐え、作り易く水やり肥料やりが簡単で生命力が強く部屋に置いてある植物を眺めて生命力を授かるようなものを選ぶ。現在最もその理想に近い植物として風蘭・長生蘭がありともに日本古来の野生種であるとともに交配品種としても割合い簡単に増殖出来るものである。少し暖かく冬越しが出来る品種には胡蝶蘭・カトレア・小型シンピヂウム等多数の品種がある。その他夏が少し涼しく出来るなら多数の山野草や交配種が無限に近い程の種類があり果樹も栽培出来るのである。緑好きな日本人にはこの種の要望が無数に出て来るものと思われる。正に緑の革命が出来る日は近い気がする。
【００１２】
【請求項２・３】においてはボールの品種がカラフルに出来る事とマイナスイオンの放出量が簡単に調節出来る事と焼き上げの温度調節によって２〜３ヶ月から半永久的効果の加工が出来る事から更に移動が簡単で取り扱いも簡単であり人
体も動植物にも成長効果がある事から
【請求項１】と同様に需要は無限である。然も弊社の製作コストは他社に比べて最低価格で提供出来る事からマイナスイオン効果が次第に一般に認められる頃には相当量の注文が入る事は間違いない。
【００１３】
【請求項４】においては、これ迄のものがマイナスイオン効果が出ない事から人体への健康効果も弊社のものに比較して低く、抗菌効果・水虫効果も弊社のものより低い事は崇城大学　岩原教授の試験結果からみても明らかであり、総体的効果は可成の差があるものと思われる。然も価格においても殆ど差がなく弊社のものが安い事からも効果の比較が一般に知れわたる時には需要が多くなる事が期待される。
【００１４】
本発明に係るマイナスイオン効果は実験する度にその効果が発揮され、殆どこれ迄見込のなかったもの迄効果が広範囲に広がりこの後も色々のものに迄使用される様になる事は間違いない。然も効果が先の頃提出した混合セラミックスと同様に半永久的な事と安価な事と無公害である事から世界的広がりを見せ利用分野の拡大も期待されるものである。